(57)【要約】【課題】低製造コストでかご内の騒音の発生を抑制すると共にかご内の側面版の意匠的な美観を確保する。【解決手段】エレベータかご内換気装置は、エレベータのかご内１１で照明構造体２と共に天井３を構成する天井板１をかご外部１３より覆う天井ふさぎ板１４と、天井板１および天井ふさぎ板１４に挟まれて形成された空間２４をかご外部１３から遮断する封止材料１５と、天井板１に穿設されてかご内１１と空間２４内との間の空気の流通を可能にする通気口１ｂと、天井３の何れかに穿設されて空間２４内とかご外部１３との間の空気の流通を可能にする外気吸排気口８との間に形成される換気通路１６と、換気通路１６の通気口１ｂに設けられて空間２４および外気吸排気口８を介してかご内１１の空気および外気を強制的に吸排気する換気用ファン７と、を備える。【選択図】図１
2008230812.tif 000002
【特許請求の範囲】
【請求項１】
エレベータのかご内で照明構造体と共に天井を構成する天井板をかご外部より覆う天井ふさぎ板と、
前記天井板および天井ふさぎ板に挟まれて形成された空間を前記かご外部から遮断する封止材料と、
前記天井板に穿設されて前記かご内と前記空間内との間の空気の流通を可能にする通気口と、前記天井の何れかに穿設されて前記空間内と前記かご外部との間の空気の流通を可能にする外気吸排気口と、の間に形成される換気通路と、
前記換気通路の前記通気口に設けられて前記空間および前記外気吸排気口を介して前記かご内の空気および外気を強制的に吸排気する換気用ファンと、
を備えることを特徴とするエレベータかご内換気装置。
【請求項２】
前記通気口は前記天井板の角部に少なくとも１つ設けられと共に、前記換気用ファンは前記通気口に対応させて前記空間の角部に少なくとも１つ設けられていることを特徴とする請求項１に記載のエレベータかご内換気装置。
【請求項３】
前記通気口は前記天井板の角部に複数設けられると共に、前記換気用ファンは複数の前記通気口に対応させて前記空間の角部に複数設けられていることを特徴とする請求項１に記載のエレベータかご内換気装置。
【請求項４】
前記天井の全体を補強する補強材であって前記空間内を小区画に仕切る補強リブと、前記通気口と前記外気吸排気口との間の前記補強リブに穿設されて前記小区画の間を換気する換気用穴と、をさらに備えることを特徴とする請求項１に記載のエレベータかご内換気装置。
【請求項５】
前記換気用ファンと前記換気用穴との間、および、前記換気用穴と前記外気吸排気口との間にそれぞれ設けられて音の伝播を抑制する制音部材と、前記空間内の他の箇所に設けられて前記天井の振動を抑制する制振部材と、を備えることを特徴とする請求項４に記載のエレベータかご内換気装置。
【請求項６】
前記通気口と前記換気用穴との間と、前記外気吸排気口と前記換気用穴との間と、の少なくとも一方の間に設けられた遮蔽板を備えることを特徴とする請求項４に記載のエレベータかご内換気装置。
【請求項７】
前記外気吸排気口、前記換気用穴、前記換気用ファンの前記換気通路における相互の位置は、相互に可及的に離隔する関係となるように設定されていることを特徴とする請求項４に記載のエレベータかご内換気装置。
【請求項８】
前記外気吸排気口を、前記換気用ファンおよび前記換気用穴の少なくとも一方から離隔させる吸排気延長部材を前記換気通路が備えることを特徴とする請求項４に記載のエレベータかご内換気装置。
【発明の詳細な説明】
【技術分野】
【０００１】
本発明は、エレベータかご内換気装置に関する。
【背景技術】
【０００２】
エレベータのかごは密閉された空間であり、この密閉された空間内に多数の利用者が搭乗する特殊な環境にある。このため、かご内を換気する換気装置は一般的な換気システムとは異なりエレベータのかご内の換気に特有の構造が必要である。
【０００３】
従来のエレベータかご内換気装置は、図７に示すように、天井板１に照明構造体２を取り付けた天井３に設けられる。天井板１は照明構造体２が設けられた下面に対して上面側の周縁に沿って断面コ字状の枠体１ａを備え、この枠体１ａの内側に収納可能な換気装置４が所望位置に設けられる。
【０００４】
換気装置４は、図７のVIII−VIII線の断面図である図８に示すように、吸音材５を内側面に有するカバー６が、換気用ファン７を覆う構成を有している。図８に示すように、天井板１における換気装置４が設けられた箇所には、通気口１ｂが開口しており、天井板１の上に設置された換気装置４のカバー６の側面には外気吸排気口８が開口している。外気吸排気口８から換気用ファン７の回転により流入された外気はエレベータかご内に開口する通気口１ｂを介してかご内に供給されると共に、かご内の空気は換気用ファン７の回転により通気口１ｂから外気吸排気口８を介してエレベータの昇降路へと排気される。
【０００５】
図７，図８に示すエレベータかごに設置された換気装置４は、昇降路内の外気とかご内の空気を換気用ファン７により強制的に吸排気させることにより、かご内の換気を行なっているが、換気装置４の駆動により発生する騒音や振動を吸収するための構造としては、カバー６の内面に吸音材５を設けることにより実現していた。
【０００６】
しかしながら、上述した従来のエレベータかご内換気装置は、外気吸排気口８が換気用ファン７の近傍に設けられているため、換気用ファン７を覆うカバー６の内壁面に吸音材５を設けていても、外気吸排気口８と天井板１の通気口１ｂとの間の距離が接近していることにより、吸音の効果が得られる距離が短くなってしまい充分な消音効果を得にくかった。
【０００７】
さらに、昇降路内を昇降する行程の長いエレベータではエレベータかごの昇降動作が高速となり、図８に示すように、天井板１の上面に衝突する空気がかごの上方で乱流９となって騒音１０を発生させ、この騒音１０が外気吸排気口８から換気用ファン７を伝いかご内１１に進入して、かご内１１の騒音を増加させる問題の一因となっている。また、乱流９は図８に示すように外気吸排気口８方向のみに発生するのではなく、天井板１を補強するための補強用リブ１ｃ方向に対しても発生するので、補強用リブ１ｃに衝突した乱流９が反射して騒音１０を増幅させて、いっそう大きな騒音を発生させる可能性もある。このような騒音はエレベータの利用者に不快感を与えることになるため、騒音対策を講じる必要がある。
【０００８】
このような騒音対策の１つとして、特許文献１に開示された技術が提案されており、この提案によれば、かごの天井上部に換気用ファンから取り入れられる新鮮な空気をかご内に導通する通風ダクトと、低周波騒音低減用のアクティブ騒音制御手段とを設けて、対象となる騒音を検出してその波形を解析し、これと同音圧で逆位相の音波をアクティブスピーカから発振させて互いの音を相殺することにより通常の吸音材では低減しにくい低周波数の騒音を低減させている。
【特許文献１】特許第２８９６２８６号公報
【発明の開示】
【発明が解決しようとする課題】
【０００９】
しかし、上述した特許文献１に開示された消音機能付きエレベータかご内換気装置は、消音機能を実現するために専用のアクティブ騒音制御装置を付加する必要がある。このため、エレベータかご換気装置の製造コストが高価になるという問題がある。
【００１０】
また、特許文献１の提案とは別個に、図７，図８に示す従来のエレベータ換気装置において、かご内１１の天井板１の上に換気装置を設けるのではなく、図８に示したかご内１１の側面版１２に換気装置を取り付けることも考えられるが、側面版１２に通気口を開口させるため、側面版１２の一部に開口や段差等が生じてしまい、美観を損なうだけでなく意匠的にも好ましくないという問題がある。また、昇降路の内壁とかごとの間に充分な空間が確保されていない構造のエレベータにおいては、かご外部側面に換気装置を設置することができないという問題もある。
【００１１】
本発明は上記課題に鑑みてなされたものであり、低製造コストで外気吸排気口とかご内の通気口が近接することに起因するかご内の騒音の発生を抑制すると共にかご内の側面版の意匠的な美観を確保するエレベータかご内換気装置を提供することを目的とする。
【課題を解決するための手段】
【００１２】
上記課題を解決するため、本発明の基本構成としての第１構成に係るエレベータかご内換気装置は、エレベータのかご内で照明構造体と共に天井を構成する天井板をかご外部より覆う天井ふさぎ板と、前記天井板および天井ふさぎ板に挟まれて形成された空間を前記かご外部から遮断する封止材料と、前記天井板に穿設されて前記かご内と前記空間内との間の空気の流通を可能にする通気口と、前記天井の何れかに穿設されて前記空間内と前記かご外部との間の空気の流通を可能にする外気吸排気口との間に形成される換気通路と、前記換気通路の前記通気口に設けられて前記空間および前記外気吸排気口を介して前記かご内の空気および外気を強制的に吸排気する換気用ファンと、を備えることを特徴としている。
【００１３】
ここで、封止材料とは、天井を構成する枠体と天井板と天井ふさぎ板により封鎖された空間をかご外部から密閉するための材料であり、この封止材料により天井内に形成された空間はかご外部からの音、振動、熱等を防音または制音、制振、断熱することができるものである。したがって、枠体、天井板、天井ふさぎ板により囲繞された空間は、外気吸排気口以外はかご外部からの音、振動、熱を遮断すると共に通気口以外はかご内からも遮断されている。
【００１４】
本発明の第２構成に係るエレベータかご内換気装置は、前記第１構成において、前記通気口は前記天井板の角部に少なくとも１つ設けられと共に、前記換気用ファンは前記通気口に対応させて前記空間の角部に少なくとも１つ設けられていることを特徴とする。
【００１５】
本発明の第３構成に係るエレベータかご内換気装置は、前記通気口は前記天井板の角部に複数設けられると共に、前記換気用ファンは複数の前記通気口に対応させて前記空間の角部に複数設けられていることを特徴とする。
【００１６】
本発明の第４構成に係るエレベータかご内換気装置は、前記第１構成において、前記天井の全体を補強する補強材であって前記空間内を小区画に仕切る補強リブと、前記通気口と前記外気吸排気口との間の前記補強リブに穿設されて前記小区画の間を換気する換気用穴と、をさらに備えることを特徴とする。
【００１７】
本発明の第５構成に係るエレベータかご内換気装置は、前記第４構成において、前記換気用ファンと前記換気用穴との間、および、前記換気用穴と前記外気吸排気口との間にそれぞれ設けられて音の伝播を抑制する制音部材と、前記空間内の他の箇所に設けられて前記天井の振動を抑制する制振部材と、を備えることを特徴とする。
【００１８】
本発明の第６構成に係るエレベータかご内換気装置は、前記第４構成において、前記換気用穴と前記換気用ファンとの間と、前記外気吸排気口と前記換気用穴との間と、の少なくとも一方の間に設けられた遮蔽板を備えることを特徴とする。
【００１９】
本発明の第７構成に係るエレベータかご内換気装置は、前記第４構成において、前記外気吸排気口、前記換気用穴、前記換気用ファンの前記換気通路における相互の位置は、相互に可及的に離隔する関係となるように設定されていることを特徴とする。
【００２０】
本発明の第８構成に係るエレベータかご内換気装置は、前記第４構成において、前記外気吸排気口を、前記換気用ファンおよび前記換気用穴の少なくとも一方から離隔させる吸排気延長部材を前記換気通路が備えることを特徴とする。
【発明の効果】
【００２１】
本発明は、低廉な製造コストで製造でき、外気吸排気口とかご内の通気口が近接することに起因するかご内の騒音の発生を抑制すると共に、かご内の側面版の意匠的美観を確保するエレベータかご内換気装置を提供することができる。
【発明を実施するための最良の形態】
【００２２】
以下、添付図面を参照しながら本発明に係るエレベータかご内換気装置の実施形態について詳細に説明する。
【００２３】
［第１実施形態］
第１実施形態に係るエレベータかご内換気装置は、図１および図２に示すように、天井板１と共に天井３を構成する天井ふさぎ板１４と、天井板１と天井ふさぎ板１４との間の空間２４を封止する封止材料１５と、天井板１の通気口１７から天井３の何れかに穿設された外気吸排気口８までの間に形成される換気通路１６と、かご内１１の空気を強制的に吸排気する換気用ファン７と、を備える。図１の構成では、外気吸排気口８は天井３を構成する枠体１ａに穿設されているが、外気吸排気口８の穿設箇所は、かご外部１３と空間２４とを連絡させる位置であれば、枠体１ａでなくでも天井ふさぎ板１４に設けられていてもよい。
【００２４】
天井ふさぎ板１４は、エレベータのかご内１１で照明構造体２と共に天井３を構成する天井板１をかご外部１３より覆っている。封止材料１５は、天井板１および天井ふさぎ板１４に挟まれて形成された空間２４をかご内部１１との間を封止して密閉させることにより、空間２４およびかご内１１をかご外部１３の音、振動、熱などから遮断する。通気口１ｂは、天井板１側に穿設されて、かご内１１と空間２４内との間の空気の流通を可能にする。外気吸排気口８は、天井ふさぎ板１４側に穿設されて空間２４内とかご外部１３との間の空気の流通を可能にする。換気用ファン７は、換気通路１６の通気口１ｂの近傍に設けられて空間２４および外気吸排気口８を介してかご内１１の空気およびかご外部１３の外気を強制的に吸排気する。
【００２５】
第１実施形態のより詳細な構成を説明すると、図１において、天井板１は例えば外側に開口するコ字状鋼材より成る枠体１ａの下面に取り付けられ、天井ふさぎ板は枠体１ａの上面に取り付けられている。エレベータかごの天井３は、かご内１１の空間の上部外周を囲む枠体１ａの上下を天井ふさぎ板１４と天井板１とで密閉することにより形成されているが、天井板１と天井ふさぎ板１４との間には補強用の補強リブ１ｃが縦横の直交方向に交差して設けられている。
【００２６】
したがって、外周側の枠体１ａと天井板１および天井ふさぎ板１４により形成される空間２４はこの補強リブ１ｃにより小区画に仕切られている。このため、通気口１ｂが設けられる小区画と外気吸排気口８が設けられる小区画とが異なる場合、補強リブ１ｃにより換気通路１６が遮断されないように、補強リブ１ｃに換気用穴１７が形成されている。
【００２７】
天井板１と天井ふさぎ板１４に挟まれると共に枠体１ａに囲まれて密閉された空間２４は、その中央部付近を補強リブ１ｃにより補強されているが、補強リブ１ｃのために小区画に分割されるため、通気口１ｂと外気吸排気口８を同一の小区画に設けている場合には換気通路１６は連通する。
【００２８】
しかし、本発明としては通気口１ｂと外気吸排気口８との間の換気通路をできるだけ長くすることにより防音、制振、断熱効果を上げることが必要であるため、外気吸排気口８と通気口１ｂとが同一の小区画に設けられると、エレベータの昇降路内での移動により発生する騒音、振動、熱気などが外気吸排気口８からかご内１１に開口する通気口１ｂに伝達されてかご内１１の利用者に不快感を与えることになってしまう。これを防止するためにも、換気通路１６はできるだけ長く設定して、通気口１ｂと外気吸排気口８を異なる小区画に設けることになる。このため、小区画と小区画とを仕切る補強リブ１ｃに換気用穴１７を設けることが重要になる。
【００２９】
また、第１実施形態に係るエレベータかご内換気装置において、通気口１ｂは天井板１のかご内１１の角部に少なくとも１つ設けられと共に、前記換気用ファン７は通気口１ｂに対応させて空間２４の角部に少なくとも１つ設けられていてもよい。
【００３０】
さらに、第１実施形態に係るエレベータかご内換気装置において、通気口１ｂは天井板１のかご内１１の角部に複数設けられると共に、換気用ファン７は複数の通気口１ｂに対応して空間２４の角部に複数設けられていてもよい。
【００３１】
また、エレベータのかごの昇降に伴う振動や騒音の発生を防止するために、密閉された空間２４内の特に天井板１側には空間２４を特にかご内１１から封止するための封止材料１５が設けられている。この封止材料１５は、かごの移動による天井板１の振動がかご内１１に伝わることを防止する制振部材１８と、空間２４とかご内１１との間を伝導する冷気や熱気を遮断する断熱部材１９と、図８でも設けられていた換気用ファン７からの騒音を吸収する制音部材５等を含んでいる。
【００３２】
以上の構成により、外気吸排気口８からの騒音１０が空間２４内に形成された長い換気通路１６や封止材料１５の吸音効果や制振効果によって消音および制振されると共に封止材料１５の断熱効果によりかご内１１が断熱されることになる。
【００３３】
以上のような作用により、消音効果に優れ、かご内の騒音を低減でき、エレベータの利用者に対して騒音による不快感を与えず、簡易な構造で製造コストの低廉なエレベータのかご内換気装置を実現することができる。
【００３４】
［第２実施形態］
次に、図２を用いて第２実施形態に係るエレベータかご内換気装置について説明する。第２実施形態は、換気用ファン７が設置された小区画における換気用ファン７と換気用穴１７との間の天井板１の上面に、音の発生を抑制する制音部材５を設け、それ以外の小区画の天井板１の上面には、振動を抑制する制振部材１８を備える構成となっている。さらに、照明構造体２が設置されているかご内１１の中央部分付近には熱の伝導を遮断する断熱部材１９を設けるようにしている。
【００３５】
第２実施形態の構成上の特徴は封止部材１５としての制音部材５，制振部材１８，断熱部材１９の設置場所を騒音、振動、発熱の発生箇所の近傍に設けるようして、吸音、制振および断熱効果をいっそう効果的にすることにある。また、外気吸排気口８は密閉された空間２４を囲む枠体１ａの所望の箇所に設けられている。
【００３６】
以上の構成により、外気吸排気口８からの騒音１０が換気用ファン７と換気用穴１７の間および換気用穴１７と外気吸排気口８の間にある吸音材５を通過することで消音され、他の制振材１８により天井板１の振動を抑え音の伝搬を防止する。
【００３７】
このようにして、封止材料１５の吸音および制振効果により、効果的に消音され制振される。このような作用により、消音効果に優れてかご内騒音を低減でき、エレベータの利用者に対して騒音による不快感を与えることがなく、簡易な構造で製造コストの低廉なエレベータかご内換気装置を実現することができる。
【００３８】
［第３実施形態］
次に、図３および図４を用いて本発明の第３実施形態に係るエレベータかご内換気装置を説明する。第３実施形態は、上述した第２実施形態において、換気用ファン７と換気用穴１７との間と、外気吸排気口８と換気用穴１７との間と、の少なくとも一方の間に設けられた遮蔽板２０を備えるものである。
【００３９】
この遮蔽板２０は、図４に示すように、空間２４内を仕切る補強リブ１ｃにより形成された小区画内を騒音１０ができるだけ迂回して伝播されるように空間２４の外側に設けられる枠体１ａから内側方向に突出して形成されている。この遮蔽板２０の突出により騒音１０は小区画の内側に設けられた補強リブ１ｃ側に迂回して伝播され、騒音１０の伝播経路となる天井板１の上面には制音効果や制振効果を有する封止部材１５が設けられているので、振動や騒音が抑制されることになる。
【００４０】
以上の構成によれば、外気吸排気口８からの騒音１０が遮蔽板２０により迂回して、換気用ファン７と換気用穴１７の間および換気用穴１７と外気吸排気口８の間にある封止材料１５上を長い距離にわたり通過することにより消音される。
【００４１】
以上のようにして、消音効果が適切に発揮され、かご内１１の騒音を効率的に低減することができ、エレベータの利用者に対して騒音による不快感を与えることがなくなり、構成が簡易で製造コストの低廉なエレベータのかご内換気装置を実現できる。
【００４２】
［第４実施形態］
次に、図５を用いて本発明の第４実施形態に係るエレベータかご内換気装置について説明する。この第４実施形態は、上述した第２実施形態において、外気吸排気口８、換気用穴１７、換気用ファン７（通気口１ｂ）の換気通路１６における相互の位置は、相互に可及的に離隔する関係となるように設定されている。
【００４３】
騒音１０は、外気吸排気口８から空間２４内の換気通路１６に導かれ、換気用穴１７を経て換気用ファン７により天井板１の通気口１ｂからかご内１１へ伝播されるが、換気通路１６が空間２４内の長い距離を迂回して騒音１０を導いているため、かなりの割合で制音される。
【００４４】
上記構成の第４実施形態に係るエレベータかご内換気装置によれば、換気通路１６における外気吸排気口８と、換気用穴１７と、換気用ファン７との相互の位置関係を相互に離隔させるように配置させて、天井に形成された空間内の長い距離を経由して通気口１ｂからかご内１１まで騒音が達するように構成されているので、エレベータのかご内では騒音が十分に制音される。
【００４５】
したがって、エレベータのかご内の利用者に対して騒音による不快感を与えることがなくなり、簡単な構造で製造コストの低廉なエレベータかご内換気装置を実現することができる。
【００４６】
［第５実施形態］
次に、図６を用いて本発明の第５実施形態に係るエレベータかご内換気装置について説明する。第５実施形態は、上述した第２実施形態において、外気吸排気口８を、換気用ファン７および通気口１ｂの少なくとも一方から離隔させる吸排気延長部材２１を換気通路１６が備えるものである。
【００４７】
より具体的には、図６に示すように、断面がコ字状の枠体１ａの一部分に吸排気延長部材２１を取り付けて、かご外部１３に向かい断面がコ字状に開口する枠体１ａの開口部分を塞ぐことにより外気吸排気口８の出口を換気用ファン７の近傍にまで延ばしている。したがって、図５に示す外気吸排気口８の位置から図６の外気吸排気口８の位置まで換気通路１６を延長させることができる。
【００４８】
上記構成を有する第４実施形態に係るエレベータかご内換気装置によれば、外気吸排気口から天井に形成された空間内の長い距離を経由して通気口からかご内までの間に換気通路が設けられているばかりでなく、外気吸排気口を延長させるように枠体のコ字状の箇所を利用して吸排気延長部材が設けられているので、エレベータのかご内では騒音が十分に制音される。
【図面の簡単な説明】
【００４９】
【図１】第１実施形態に係るエレベータかご内換気装置の構成を示す断面図。
【図２】第１、第２実施形態のエレベータかご内換気装置を示す平面図。
【図３】第３実施形態に係るエレベータかご内換気装置を示す断面図。
【図４】第３実施形態に係るエレベータかご内換気装置を示す部分平面図。
【図５】第４実施形態に係るエレベータかご内換気装置を示す部分平面図。
【図６】第５実施形態に係るエレベータかご内換気装置を示す部分平面図。
【図７】従来のエレベータかご内換気装置を示す斜視図。
【図８】従来のエレベータかご内換気装置を示す断面図。
【符号の説明】
【００５０】
１  天井板
１ａ  枠体
１ｂ  通気口
１ｃ  補強リブ
２  照明構造体
３  天井
７  換気用ファン
８  外気吸排気口
１１  かご内
１３  かご外部
１４  天井ふさぎ板
１５  封止材料
１６  換気通路
１７  換気用穴
２４  空間
【図１】
2008230812.tif 000003
【図２】
2008230812.tif 000004
【図３】
2008230812.tif 000005
【図４】
2008230812.tif 000006
【図５】
2008230812.tif 000007
【図６】
2008230812.tif 000008
【図７】
2008230812.tif 000009
【図８】
2008230812.tif 000010